(57)【特許請求の範囲】
【請求項１】
内部にプラズマ生成用ガスが流通される第１ガス流路と、前記第１ガス流路の下流側に連通する第２ガス流路とを有し、前記第１ガス流路中での放電により前記プラズマ生成用ガスからプラズマを生成させ、第２ガス流路中にて該流路中に供給された試料ガス中の試料成分を前記プラズマの作用によってイオン化し、該イオン化された試料成分によるイオン電流を検出する放電イオン化電流検出器であって、
a)前記第１ガス流路の少なくとも一部を形成する誘電体管と、
b)前記誘電体管の外周に取り付けられたプラズマ生成用励起電極と、
c)前記第２ガス流路内に前記試料ガスと接触するように配置された金属電極と、
d)前記第１ガス流路内に挿入された電極構造体と、
を有し、
前記電極構造体が、誘電体で被覆された金属管と、絶縁体で被覆され前記金属管内に挿入された金属線とを含み、
前記金属管は、その一端が前記第１ガス流路の上流側で電気的に接地され、その他端が少なくともプラズマ生成用励起電極と対向する位置まで延伸し、
前記金属線は、その一端が前記第１ガス流路の上流側から外部に引き出されると共に、その他端に絶縁体被覆がない領域が形成されて該領域が第２ガス流路内に前記試料ガスと接触するように配置されており、
前記金属線の一端及び前記金属電極のいずれか一方がバイアス電源に接続され、他方がイオン電流検出用回路に接続されていることを特徴とする放電イオン化電流検出器。
【請求項２】
前記金属電極が、両端が開放された筒型形状から成る筒状部と該筒状部の外周から径方向外側に延びる突出部とを有しており、前記筒状部が、前記第２ガス流路内にて前記金属線の絶縁体被覆がない領域を囲繞するように配置されると共に、前記突出部が、前記領域よりも下流側にて前記第２ガス流路の外部に引き出されて前記バイアス電源又はイオン電流検出用回路に接続されていることを特徴とする請求項１に記載の放電イオン化電流検出器。
【請求項３】
内部にプラズマ生成用ガスが流通される第１ガス流路と、前記第１ガス流路の下流側に連通する第２ガス流路とを有し、前記第１ガス流路中での放電により前記プラズマ生成用ガスからプラズマを生成させ、第２ガス流路中にて該流路中に供給された試料ガス中の試料成分を前記プラズマの作用によってイオン化し、該イオン化された試料成分によるイオン電流を検出する放電イオン化電流検出器であって、
a)前記第１ガス流路の少なくとも一部を形成する誘電体管と、
b)前記誘電体管の外周に取り付けられたプラズマ生成用励起電極と、
c)前記第１ガス流路内に挿入された複数の電極構造体と、
を有し、
前記各電極構造体が、誘電体で被覆された金属管と、絶縁体で被覆され前記金属管内に挿入された金属線とを含み、
前記金属管は、その一端が前記第１ガス流路の上流側で電気的に接地され、その他端が少なくともプラズマ生成用励起電極と対向する位置まで延伸し、
前記金属線は、その一端が前記第１ガス流路の上流側から外部に引き出されると共に、その他端に絶縁体被覆がない領域が形成されて該領域が第２ガス流路内に前記試料ガスと接触するように配置されており、
前記複数の電極構造体のうち、少なくとも１つに含まれる前記金属線の一端がバイアス電源に接続され、残りの電極構造体に含まれる前記金属線の一端がイオン電流検出用回路に接続されていることを特徴とする放電イオン化電流検出器。
【請求項４】
前記金属管の他端に誘電体被覆がない領域が形成され、該領域が前記プラズマ生成用励起電極よりも下流側で且つ前記金属線の絶縁体被覆がない領域よりも上流側に配置されていることを特徴とする請求項１〜３のいずれかに記載の放電イオン化電流検出器。
【発明の詳細な説明】
【技術分野】
【０００１】
本発明は、主としてガスクロマトグラフ（ＧＣ）用の検出器として好適な放電イオン化電流検出器に関し、更に詳しくは、低周波バリア放電を利用した放電イオン化電流検出器に関する。
【背景技術】
【０００２】
ＧＣ用の検出器としては、熱伝導度検出器（ＴＣＤ）、エレクトロンキャプチャ検出器（ＥＣＤ）、水素炎イオン化検出器（ＦＩＤ）、炎光光度検出器（ＦＰＤ）、フレームサーミオニック検出器（ＦＴＤ）など、様々な方式の検出器が従来から実用に供されている。こうした検出器の中で最も一般的に、特に有機物を検出するために使用されているのはＦＩＤである。ＦＩＤは、水素炎により試料ガス中の試料成分をイオン化し、そのイオン電流を測定するものであり、６桁程度の広いダイナミックレンジを達成している。しかしながら、ＦＩＤは、（１）イオン化効率が低いため十分に低い最小検出量が得られない、（２）アルコール類、芳香族、塩素系物質に対するイオン化効率が低い、（３）危険性の高い水素を必要とするため防爆設備等の特別な設備を設置する必要があり、取扱いも面倒である、といった欠点を有している。
【０００３】
一方、無機物から低沸点有機化合物までを高い感度で検出可能な検出器として、パルス放電イオン化電流検出器（ＰＤＤ：Pulsed Discharge Detector）が従来知られている（例えば特許文献１を参照）。ＰＤＤでは、高圧のパルス放電によってヘリウム分子などを励起し、その励起状態にある分子が基底状態に戻る際に発生する光エネルギーを利用して分析対象の分子をイオン化する。そして、生成されたイオンによるイオン電流を検出し、分析対象の分子の量（濃度）に応じた検出信号を得る。
【０００４】
上記ＰＤＤでは一般的に、ＦＩＤよりも高いイオン化効率を達成することができる。一例を挙げると、プロパンに対するＦＩＤのイオン化効率は０．０００５％程度にすぎないのに対し、ＰＤＤでは０．０７％程度のイオン化効率が得られている。しかしながら、それにも拘わらずＰＤＤのダイナミックレンジはＦＩＤに及ばず、１桁程度以上低いのが実状である。これが、ＰＤＤがＦＩＤほど普及しない一つの原因である。
【０００５】
従来のＰＤＤにおけるダイナミックレンジの制約要因は、イオン化のためのプラズマの不安定性やプラズマ状態の周期的変動であると考えられる。これに対し、プラズマ状態を安定化・定常化するために、低周波交流励起誘電体バリア放電（以下「低周波バリア放電」と称す）を利用した放電イオン化電流検出器が提案されている（例えば特許文献２を参照）。低周波バリア放電により生成されるプラズマは大気圧非平衡プラズマであり、高周波放電によるプラズマのような高温にはなりにくい。また、パルス高電圧励起によるプラズマのような印加電圧の状態の遷移に伴う周期的な変動も抑制され、安定した定常的なプラズマ状態が得られ易い。こうしたことから、本願発明者は低周波バリア放電を利用した放電イオン化電流検出器に関する様々な検討や提案を行ってきている（例えば特許文献３、４を参照）。
【０００６】
こうした低周波バリア放電を利用した放電イオン化電流検出器の従来構成の一例を図５に示す。
【０００７】
この放電イオン化電流検出器は、石英などの誘電体から成る円筒管４１を備え、この内部が第１ガス流路４２となっている。円筒管４１の外壁面には、それぞれ所定距離離して、金属（例えばＳＵＳ、銅など）製の環状のプラズマ生成用電極４３、４４、４５が周設されている。プラズマ生成用電極４３、４４、４５と第１ガス流路４２との間には円筒管４１の壁面が存在するから、誘電体であるこの壁面自体が電極４３、４４、４５の表面を被覆する誘電体被覆層として機能し、誘電体バリア放電を可能としている。
【０００８】
３個のプラズマ生成用電極４３、４４、４５のうち、中央の電極４３には低周波の高圧交流電圧を発生する励起用高圧電源５５が接続され、この電極４３の上下に配置された電極４４、４５はいずれも接地されている。
【０００９】
円筒管４１の下部には、反跳電極５０、バイアス電極５２、及びイオン収集電極５３が、絶縁部材５１を間に介挿して配置されている。これらはいずれも同一内径の円筒形状体であり、それらの内側には円筒管４１中の第１ガス流路４２に連続した第２ガス流路４９が形成されるから、電極５０、５２、５３はこの第２ガス流路４９中のガスに直接晒される。反跳電極５０は接地されており、プラズマ中の荷電粒子がイオン収集電極５３に到達することを防止する。これによって、ノイズを低減し、Ｓ／Ｎ比を改善することができる。バイアス電極５２はバイアス直流電源６１に接続され、イオン収集電極５３はイオン電流検出部６２に含まれる電流アンプ６３に接続されている。第２ガス流路４９中でバイアス電極５２とイオン収集電極５３の内側及びその間が実質的な電流収集領域である。
【００１０】
円筒管４１の上端にはガス供給管４６が接続されており、該ガス供給管４６を通して図示しないガス供給源から所定のガスが第１ガス流路４２中に供給される。第１ガス流路４２と第２ガス流路４９との接続部に位置する反跳電極５０には第１ガス排出管４７が接続され、第２ガス流路４９の終端には第２ガス排出管４８が接続されている。更に、第２ガス流路４９中には細径の試料導入管５４が挿入されており、試料導入管５４を通して測定対象である試料成分を含む試料ガスが、第２ガス流路４９中に供給される。
【００１１】
この放電イオン化電流検出器による検出動作を説明する。図５中に右向き矢印で示すように、ガス供給管４６を通して第１ガス流路４２中に希釈ガスを兼ねるプラズマガスが供給される。前記希釈ガスを兼ねるプラズマガスは第１ガス流路４２中を下向きに流れる。そして、第１ガス流路４２の下端でその一部が分岐されて第１ガス排出管４７を経て外部へと排出され、残りのプラズマガスが希釈ガスとして試料ガスと混合され、電流収集領域に流れる。
【００１２】
上述したようにプラズマガスが第１ガス流路４２中に流通している状態で、励起用高圧電源５５は駆動され、励起用高圧電源５５は低周波の高圧交流電圧をプラズマ生成用の電極４３と電極４４、４５との間に印加する。これにより、第１ガス流路４２中で電極４４及び電極４５で挟まれるプラズマ生成領域に放電が起こる。この放電は誘電体被覆層（円筒管４１）を通して行われるため誘電体バリア放電である。この誘電体バリア放電によって、第１ガス流路４２中を流れるプラズマガスが広く電離されてプラズマ（大気圧非平衡マイクロプラズマ）が発生する。
【００１３】
大気圧非平衡マイクロプラズマから放出された励起光は、第１ガス流路４２及び第２ガス流路４９中を通って試料ガスが存在する部位まで到達し、その試料ガス中の試料成分分子（又は原子）をイオン化する。こうして生成された試料イオンは、バイアス電極５２に印加されているバイアス直流電圧の作用により、イオン収集電極５３で電子を授受する。これにより、生成された試料イオンの量、つまりは試料成分の量に応じたイオン電流が電流アンプ６３に入力され、電流アンプ６３はこれを増幅して検出信号として出力する。このようにして、この放電イオン化電流検出器では、導入された試料ガスに含まれる試料成分の量（濃度）に応じた検出信号が出力される。
【先行技術文献】
【特許文献】
【００１４】
【特許文献１】米国特許第5394092号明細書
【特許文献２】米国特許第5892364号明細書
【特許文献３】国際公開第2009/119050号パンフレット
【特許文献４】特開2011-158357号公報
【発明の概要】
【発明が解決しようとする課題】
【００１５】
上記のような放電イオン化電流検出器をＧＣの検出器として用いる場合、一般に、第２ガス流路４９の電流収集領域には沸点の高い有機物成分を含む試料ガスが導入される。そこで、こうした高沸点成分を気体状態に保つため、第２ガス流路４９は、外部ヒータ（図示略）によって高温（最大450℃程度）に維持される。
【００１６】
上記の放電イオン化電流検出器では、バイアス電極５２に100〜200 Vの電圧が印加される一方、イオン収集電極５３では数fA程度の微少電流をも検出できる必要がある。そのため、バイアス電極５２とイオン収集電極５３の間の絶縁部材５１の抵抗は、上述のような高温下で数ＴΩ以上であることが要求される。しかし、一般的なセラミックの抵抗率は高温になると急激に低下するため、このような要求に耐えられる材料は限られている。そのため、前記絶縁部材５１には高純度アルミナ・サファイアなどの高価な材料を使用せざるを得ず、製造コスト増大の一因となっていた。
【００１７】
また、大気からのガス混入（リーク）を防ぐため、電流収集領域の周辺は高気密構造とする必要がある。そのため、各絶縁部材５１と各電極（即ち、反跳電極５０、バイアス電極５２、イオン収集電極５３）との接触面は、上述のような高温に耐え、且つ十分な気密となるような構造、例えば金ワッシャーなどによる気密シールを作る必要があった。
【００１８】
更に、こうした円筒形の絶縁部材５１と電極５０、５２、５３の積層構造では、絶縁体と金属という熱膨張率の異なる材料の接合部分が温度サイクルに晒されることによる応力発生や、高温の電極から室温の回路に電気配線を接続することによる熱流出や配線部の熱酸化など、長期的な耐久性を低下させる問題も有していた。
【００１９】
本発明は上記の点に鑑みて成されたものであり、その目的とするところは、低コストに製造することができ、且つ耐久性に優れた放電イオン化電流検出器を提供することにある。
【課題を解決するための手段】
【００２０】
上記課題を解決するために成された本発明の放電イオン化電流検出器の第１の態様のものは、
内部にプラズマ生成用ガスが流通される第１ガス流路と、前記第１ガス流路の下流側に連通する第２ガス流路とを有し、前記第１ガス流路中での放電により前記プラズマ生成用ガスからプラズマを生成させ、第２ガス流路中にて該流路中に供給された試料ガス中の試料成分を前記プラズマの作用によってイオン化し、該イオン化された試料成分によるイオン電流を検出する放電イオン化電流検出器であって、
a)前記第１ガス流路の少なくとも一部を形成する誘電体管と、
b)前記誘電体管の外周に取り付けられたプラズマ生成用励起電極と、
c)前記第２ガス流路内に前記試料ガスと接触するように配置された金属電極と、
d)前記第１ガス流路内に挿入された電極構造体と、
を有し、
前記電極構造体が、誘電体で被覆された金属管と、絶縁体で被覆され前記金属管内に挿入された金属線とを含み、
前記金属管は、その一端が前記第１ガス流路の上流側で電気的に接地され、その他端が少なくともプラズマ生成用励起電極と対向する位置まで延伸し、
前記金属線は、その一端が前記第１ガス流路の上流側から外部に引き出されると共に、その他端に絶縁体被覆がない領域が形成されて該領域が第２ガス流路内に前記試料ガスと接触するように配置されており、
前記金属線の一端及び前記金属電極のいずれか一方がバイアス電源に接続され、他方がイオン電流検出用回路に接続されていることを特徴としている。
【００２１】
なお、前記の「誘電体で被覆された金属管」は、金属管の表面に誘電体から成る層を形成したものであってもよく、誘電体から成る管の内部に金属管を挿入したものであってもよい。同様に前記の「絶縁体で被覆され前記金属管内に挿入された金属線」は、金属線の表面に絶縁体から成る層を形成したものであってもよく、絶縁体から成る管の内部に金属線を挿入したものであってもよい。
【００２２】
上記構成から成る放電イオン化電流検出器では、前記金属線の絶縁体被覆がない領域が上述のバイアス電極又はイオン収集電極として機能する。この金属線は第１ガス流路の上流側から外部に引き出されており、該第１ガス流路の上流側は上述の電流収集領域に比べて低温に維持される。そのため、上記本発明の第１態様に係る放電イオン化電流検出器によれば、バイアス電極又はイオン収集電極の外部への引き出し部分に従来のような高耐熱性の気密シールや絶縁部材を用いる必要がなくなり、製造コストの低減を図ることができる
【００２３】
上記本発明の第１態様に係る放電イオン化電流検出器は、
前記金属電極が、両端が開放された筒型形状から成る筒状部と該筒状部の外周から径方向外側に延びる突出部とを有しており、前記筒状部が、前記第２ガス流路内にて前記金属線の絶縁体被覆がない領域を囲繞するように配置されると共に、前記突出部が、前記領域よりも下流側にて前記第２ガス流路の外部に引き出されて前記バイアス電源又はイオン電流検出用回路に接続されているものとすることが望ましい。
【００２４】
このような構成によれば、筒状部の先端付近にて試料ガス中の試料成分のイオン化及び該イオンの検出を行うと共に、それよりも下流側に配置された突出部にて金属電極を外部に引き出して電気配線と接続することができる。これにより、前記金属電極の引き出し部は試料成分のイオン化及び該イオンの検出が行われる領域（即ち、電流収集領域）よりも下流側に配置される。そのため、仮に該引き出し部から僅かに大気のリークがあったとしても、第２ガス流路内に混入した大気はガスの流れによって下流側に押し流され、電流収集領域に進入する虞がない。従って、このような構成によれば、前記引き出し部に厳密な気密性は要求されず、従来用いられていた金ワッシャーのような高気密性のシール部材に代えて、比較的安価な汎用の気密シールを使用することが可能となる。
【００２５】
また、上記課題を解決するために成された本発明に係る放電イオン化電流検出器の第２の態様のものは、
内部にプラズマ生成用ガスが流通される第１ガス流路と、前記第１ガス流路の下流側に連通する第２ガス流路とを有し、前記第１ガス流路中での放電により前記プラズマ生成用ガスからプラズマを生成させ、第２ガス流路中にて該流路中に供給された試料ガス中の試料成分を前記プラズマの作用によってイオン化し、該イオン化された試料成分によるイオン電流を検出する放電イオン化電流検出器であって、
a)前記第１ガス流路の少なくとも一部を形成する誘電体管と、
b)前記誘電体管の外周に取り付けられたプラズマ生成用励起電極と、
c)前記第１ガス流路内に挿入された複数の電極構造体と、
を有し、
前記各電極構造体が、誘電体で被覆された金属管と、絶縁体で被覆され前記金属管内に挿入された金属線とを含み、
前記金属管は、その一端が前記第１ガス流路の上流側で電気的に接地され、その他端が少なくともプラズマ生成用励起電極と対向する位置まで延伸し、
前記金属線は、その一端が前記第１ガス流路の上流側から外部に引き出されると共に、その他端に絶縁体被覆がない領域が形成されて該領域が第２ガス流路内に前記試料ガスと接触するように配置されており、
前記複数の電極構造体のうち、少なくとも１つに含まれる前記金属線の一端がバイアス電源に接続され、残りの電極構造体に含まれる前記金属線の一端がイオン電流検出用回路に接続されていることを特徴としている。
【００２６】
このような構成によれば、バイアス電極及びイオン収集用電極の外部への引き出し部をいずれも第１ガス流路の上流側に配置することができる。これにより、前記各電極の引き出し部を高温となる電流収集領域からなくすことができるため、高い耐熱性を備えた高価なシール部材や絶縁部材が不要となり、製造コストを一層低減することが可能となる。
【００２７】
上記本発明の第１の態様又は第２の態様に係る放電イオン化電流検出器は、
前記金属管の他端に誘電体被覆がない領域が形成され、該領域が前記プラズマ生成用励起電極よりも下流側で且つ前記金属線の絶縁体被覆がない領域よりも上流側に配置されているものとすることが望ましい。
【００２８】
前記金属管の一端は、上述の通り第１ガス流路の上流側にて電気的に接地されており、該金属管の他端に設けられた誘電体被覆がない領域は、プラズマ中の荷電粒子がイオン収集電極に到達するのを防ぐための反跳電極として機能する。そのため、上記構成によれば、前記プラズマ中の荷電粒子によるノイズを低減し、Ｓ／Ｎ比を改善することができる。
【発明の効果】
【００２９】
以上で説明した通り、本発明に係る放電イオン化電流検出器によれば、バイアス電極の外部への引き出し部及びイオン収集電極の外部への引き出し部のいずれか一方又は両方を比較的低温の領域に配置することができる。このため、金属から成る電極と絶縁部材との接触部や該電極と外部回路との接続部を高温領域に配置することによる耐久性の低下を抑えることができ、更に、上述の金ワッシャーや高純度アルミナ・サファイアなどの高価なシール部材や絶縁部材の使用量を抑えて製造コストの低減を図ることができる。
【図面の簡単な説明】
【００３０】
【図１】本発明の第１実施例による放電イオン化電流検出器の概略構成図。
【図２】本発明の第２実施例による放電イオン化電流検出器の概略構成図。
【図３】同実施例における電極形状の別の例を示す模式図。
【図４】同実施例における電極形状の更に別の例を示す模式図。
【図５】従来の放電イオン化電流検出器の概略構成図。
【発明を実施するための形態】
【００３１】
以下、本発明を実施するための形態について実施例を挙げて説明する。
【実施例１】
【００３２】
本発明の一実施例（第１実施例）による放電イオン化電流検出器について図１を参照して説明する。図１は第１実施例による放電イオン化電流検出器の概略構成図である。
【００３３】
本実施例の放電イオン化電流検出器は、石英などの誘電体から成る外部誘電体管１０（本発明における「誘電体管」に相当）を備えている。外部誘電体管１０としては、例えば外径が7 mm、内径が5 mmの石英管を用いることができる。外部誘電体管１０の外周面には金属（例えばＳＵＳ、銅など）から成る環状電極１１（本発明における「プラズマ生成用励起電極」に相当）が周設されている。
【００３４】
外部誘電体管１０の上部には、上面が閉鎖され下面が開放された円筒形状を有する上側アダプタ１２が取り付けられており、外部誘電体管１０と上側アダプタ１２の間はフッ素ゴム等から成るＯリング１３によって気密にシールされている。上側アダプタ１２の周面にはガス供給管１４が接続されている。なお、これら上側アダプタ１２及びガス供給管１４は、例えばＳＵＳ等の金属で構成されている。
【００３５】
外部誘電体管１０の内部には石英などの誘電体から成る内部誘電体管１５が配置されており、該内部誘電体管１５の内部にはＳＵＳ等の金属から成る金属管１６（本発明における「誘電体で被覆された金属管」に相当）が挿通されている。更に、該金属管１６の内部にはアルミナ等から成る絶縁管１７が挿通され、更にその内部にはＳＵＳ等の金属から成る金属線１８（本発明における「絶縁体で被覆され金属管内に挿入された金属線」に相当）が挿通されている。これらの部材は、内部誘電体管１５、金属管１６、絶縁管１７、金属線１８の順に長くなっており、内部誘電体管１５の上下端からは金属管１６の上下端が突出し、金属管１６の上下端からは絶縁管１７の上下端が突出している。更に絶縁管１７の上下端からは金属線１８の上下端が突出している。以下、この内部誘電体管１５、金属管１６、絶縁管１７、金属線１８から成る構造物を電極構造体１９と称する。
【００３６】
上側アダプタ１２の上部には貫通孔が設けられており、該貫通孔には金属管１６の上端部が溶接又は蝋付けによって固定されている。また、前記絶縁管１７と金属線１８は上側アダプタ１２上部の前記貫通孔から外部に引き出され、上側アダプタ１２の上面にて気密性接着剤２０によって封止・固定されている。
【００３７】
上側アダプタ１２は、電気配線（又はガス供給管１４）によって電気的に接地されており、これにより、上述の金属管１６も該上側アダプタ１２を介して接地される。一方、環状電極１１には励起用高圧電源２１が接続されている。つまり本実施例の放電イオン化電流検出器では、これら金属管１６と環状電極１１とがプラズマ生成用の電極として機能する。環状電極１１の内周面と金属管１６の外周面の一部とは、外部誘電体管１０と内部誘電体管１５の壁面を挟んで対向している。そのため、誘電体であるこれらの壁面自体がプラズマ生成用の電極（即ち、環状電極１１と金属管１６）の表面を被覆する誘電体被覆層として機能し、誘電体バリア放電を可能としている。なお、励起用高圧電源２１は、低周波の高圧交流電圧を発生するものであり、その周波数は1 [kHz] 〜100 [kHz] の範囲、更に好ましくは5 [kHz] 〜50 [kHz] の範囲とするとよい。また、交流電圧の波形形状は、正弦波、矩形波、三角波、鋸歯状などのいずれでもよい。
【００３８】
外部誘電体管１０の下端は円筒状の中間アダプタ２２に挿入されており、両者の間はフッ素ゴム等から成るＯリング２３によって気密にシールされている。また、中間アダプタ２２の周面にはＳＵＳ等の金属から成る第１ガス排出管２４が設けられている。
【００３９】
中間アダプタ２２の下部には、円筒状の絶縁部材２５、フランジ付金属管２８、円筒状の絶縁部材２９、及び下側アダプタ３０がこの順に配置されている。フランジ付金属管２８は、円筒部２６と、該円筒部２６の下端に形成され、該円筒部２６の径方向外側に延びるフランジ部２７とを有している。なお、このフランジ付金属管２８が本発明における金属電極に相当し、円筒部２６及びフランジ部２７がそれぞれ本発明における筒状部及び突出部に相当する。円筒部２６は外部誘電体管１０の内径よりも小さな外径を有しており、外部誘電体管１０の内部に下側から挿入される。一方、フランジ部２７は前記中間アダプタ２２、絶縁部材２５、２９及び下側アダプタ３０の外径とほぼ同一の外径を有しており、絶縁部材２５、２９を介して中間アダプタ２２の下端及び下側アダプタ３０の上端によって挟持される。なお、前記中間アダプタ２２、下側アダプタ３０、及びフランジ付金属管２８は、いずれもＳＵＳ等の金属で構成されており、中間アダプタ２２、絶縁部材２５、フランジ付金属管２８、絶縁部材２９、及び下側アダプタ３０は、それぞれセラミック系の耐熱接着剤によって隣接する部材と接着されている。
【００４０】
下側アダプタ３０は、上面が開放された有底円筒形状の部材であり、その周面にはＳＵＳ等の金属から成る第２ガス排出管３１が接続される。下側アダプタ３０の下面には貫通孔が設けられ、該貫通孔にはＧＣカラムの出口端に接続された試料導入管３２が挿入される。試料導入管３２はフランジ付金属管２８の円筒部２６内に引き込まれ、該試料導入管３２の上端（即ち、試料ガス出口）は該円筒部２６の上端と下端の間の高さ位置に配置される。
【００４１】
電極構造体１９に含まれる金属線１８の下端には、上述の通り、絶縁管１７で被覆されない部分（露出部）が設けられている。該露出部はフランジ付金属管２８の円筒部２６の内側に上方から挿入され、該円筒部２６の上端付近に配置される。これにより、試料ガス出口の直上に前記金属線１８の露出部が配置されることとなる。更に、該金属線１８は、上側アダプタ１２から外部に引き出されてバイアス直流電源３３に接続されており、フランジ付金属管２８はイオン電流検出部３４（本発明における「イオン電流検出用回路」に相当）に含まれる電流アンプ３５に接続されている。つまり、本実施例の放電イオン化電流検出器では、前記金属線１８下端の露出部がバイアス電極として機能し、フランジ付金属管２８の円筒部２６がイオン収集電極として機能する。つまり円筒部２６の内壁と金属線１８の露出部との間の空間が実質的な電流収集領域となる。
【００４２】
また、電極構造体１９に含まれる金属管１６は、上述の通り、上側アダプタ１２を介して接地されており、更に該金属管１６の下端には内部誘電体管１５で被覆されない部分（露出部）が設けられている。この露出部は、フランジ付金属管２８の直上に位置しており、プラズマ中の荷電粒子がイオン収集電極（即ち、円筒部２６）に到達するのを防ぐための反跳電極として機能する。
【００４３】
なお、本実施例では、上側アダプタ１２及び外部誘電体管１０の内部空間であって内部誘電体管１５の下端よりも上側の領域が本発明における第１ガス流路に相当し、外部誘電体管１０、中間アダプタ２２、及び下側アダプタ３０の内部空間であって内部誘電体管１５の下端よりも下側の領域が本発明における第２ガス流路に相当する。第２ガス流路は、試料ガスの気化状態を保つため、図示しない外部ヒータによって最大450℃程度まで加熱される。
【００４４】
この放電イオン化電流検出器による検出動作を説明する。図１中に右向き矢印で示すように、ガス供給管１４を通して上側アダプタ１２内に希釈ガスを兼ねるプラズマガスが供給される。プラズマガスは電離され易いガスであり、例えばヘリウム、アルゴン、窒素、ネオン、キセノンなどのうちの１種又はそれらを２種以上混合したガスを用いることができる。
【００４５】
上記希釈ガスを兼ねるプラズマガスは外部誘電体管１０の内壁と内部誘電体管１５の外壁の間を下向きに流れ、フランジ付金属管２８の円筒部２６の上端でその一部が分岐される。分岐されたプラズマガスは、外部誘電体管１０の内壁と円筒部２６の外壁の間を下向きに流れた後、外部誘電体管１０の下端で外側上方に折り返す。そして、外部誘電体管１０の外壁と中間アダプタ２２の内壁の間を上向きに流れた後、第１ガス排出管２４を経て外部に排出される。一方、残りのプラズマガスは、円筒部２６の内壁で囲まれた空間に流入し、希釈ガスとして試料ガスと混合される。
【００４６】
上述したようにプラズマガスが外部誘電体管１０の内壁と内部誘電体管１５の外壁の間を流通している状態で、励起用高圧電源２１が駆動され、励起用高圧電源２１は低周波の高圧交流電圧をプラズマ生成用の電極である環状電極１１と金属管１６との間に印加する。これにより、環状電極１１と金属管１６で挟まれるプラズマ生成領域に放電が起こる。この放電は誘電体被覆層（外部誘電体管１０及び内部誘電体管１５）を通して行われるため誘電体バリア放電である。この誘電体バリア放電によって、外部誘電体管１０の内壁と内部誘電体管１５の外壁の間（即ち、第１ガス流路）を流れるプラズマガスが電離されてプラズマ（大気圧非平衡マイクロプラズマ）が発生する。
【００４７】
大気圧非平衡マイクロプラズマから放出された励起光は、外部誘電体管１０の内壁と内部誘電体管１５の外壁の間を通って試料ガスが存在する部位まで到達し、その試料ガス中の試料成分分子（又は原子）をイオン化する。こうして生成された試料イオンは、試料ガス出口の直上にあるバイアス電極（即ち、金属線１８の露出部）の電界によってイオン収集電極（即ち、フランジ付金属管２８の円筒部２６）に集められ、電流出力として検出される。これにより、生成された試料イオンの量、つまりは試料成分の量に応じたイオン電流が電流アンプ３５に入力され、電流アンプ３５はこれを増幅して検出信号として出力する。このようにして、この放電イオン化電流検出器では、導入された試料ガスに含まれる試料成分の量（濃度）に応じた検出信号が出力される。
【００４８】
本実施例の構成により得られる効果を以下に説明する。本実施例の放電イオン化電流検出器では、バイアス電極の役割を果たす金属線１８が希釈ガスを兼ねるプラズマガスの流れ（以下、プラズマガス流と呼ぶ）の上流側、即ち上側アダプタ１２の上部から外部に引き出されている。この領域はプラズマガス流の下流側の領域、即ち第２ガス流路と違って試料ガスが流通しないため、試料成分の気化状態を維持できるほどの高温とする必要がない。そのため、本実施例では、バイアス電極と検出器の筐体の間（即ち、金属線１８と上側アダプタ１２の間）の気密シールに従来ほどの高い耐熱性が要求されない。その結果、バイアス電極用の気密シールとして、従来用いられていた金ワッシャーのような高価な高耐熱性シールに代えて、上記の気密性接着剤２０のように比較的耐熱性が低く安価なシール部材を用いることが可能となる。なお、この部分には、気密性接着剤の他に、フッ素系Ｏリングによる気密シール等を採用することもできる。
【００４９】
また、本実施例の放電イオン化電流検出器では、バイアス電極（即ち金属線１８）が、電気的に接地された金属管１６の内部に挿入されてプラズマガス流の上流側から第１ガス流路及び第２ガス流路の内部に挿入されるため、絶縁管１７の先端部が高温になることで抵抗が下がり、バイアス電極（金属線１８）からのリーク電流が増加したとしても、その電流は接地された金属管１６に流れるだけであり、イオン収集電極に流れ込むことはない。したがって、従来のようにバイアス電極とイオン収集電極の間を絶縁するための高抵抗セラミック（例えば高純度アルミナ・サファイア等）が不要になるという効果も得られる。このように絶縁管１７の役割は、接地された金属管１６とバイアスされた金属線１８を高抵抗で分離することであるので、絶縁管１７が金属線１８表面を完全に被覆する必要はない。具体的には、短いアルミナスリーブなどを複数個、金属管１６内に挿入し、金属線１８と金属管１６が接触しないように配置して、絶縁管１７を構成することも可能である。
【００５０】
一方、イオン収集電極の役割を果たすフランジ付金属管２８は、プラズマガス流の下流側（即ち第２ガス流路）に設けられている。上述の通り、第２ガス流路は高温になるため、フランジ付金属管２８のフランジ部２７と絶縁部材２５、２９の間の気密シールには従来と同様に比較的高い耐熱性が要求される。但し、フランジ付金属管２８は、円筒部２６がフランジ部２７から上方に突き出した構造となっており、試料ガスのイオン化及びイオン化電流の検出は円筒部２６の上端付近で行われる。つまり本実施例の構成では、前記フランジ部２７と絶縁部材２５、２９との接触部が、試料ガスのイオン化及びイオン電流の検出が行われる領域（即ち電流収集領域）よりもプラズマガス流の下流側に位置することとなる。従って、前記接触部から僅かに大気のリークがあったとしても、第２ガス流路内に混入した大気はガスの流れよって下流側に押し流されて電流収集領域には到達しないため、ベースラインの上昇やノイズの増大を招来することはない。そのため、本実施例では、イオン収集電極と検出器の筐体との接続部（即ち、フランジ付金属管２８のフランジ部２７が絶縁部材２５、２９を介して中間アダプタ２２及び下側アダプタ３０と隣接する部分）に従来ほどの厳密な気密性は要求されない。その結果、該接続部には、従来用いられていた金ワッシャー等の高価な耐熱気密シールを使う必要がなくなり、例えば、上述のようにセラミック系の耐熱接着剤によって各部材同士を接着するだけで十分な気密性を達成可能となる。
【００５１】
また、本実施例において、フランジ付金属管２８のフランジ部２７が絶縁部材２５、２９を介して隣接しているのは中間アダプタ２２と下側アダプタ３０であり、これらはいずれも接地されている。そのため、絶縁部材２５、２９を構成する絶縁体の抵抗率が比較的低くても、リーク電流は殆ど流れない。従って、本実施例の放電イオン化電流検出器では、イオン収集電極と検出器の筐体の間の絶縁部材として従来用いられていた高抵抗セラミック等を使用する必要がなく、例えば、アルミナ等から成る比較的安価な絶縁部材を用いることができる。
【００５２】
なお、上記の例では、金属線１８をバイアス電極として機能させ、フランジ付金属管２８をイオン収集電極として機能させるものとしたが、これらは逆にしてもよい。即ち、金属線１８を電流アンプ３５に接続し、フランジ付金属管２８をバイアス直流電源３３に接続してもよい。
【００５３】
また、フランジ付金属管２８に代わり、従来と同様の円筒状の金属電極を設け、これをイオン収集電極又はバイアス電極として機能させるようにしてもよい。但し、この場合には電流収集領域への大気の影響が無視できないため、該電極と検出器の筐体との接続部は従来と同様の高気密構造とする必要がある。
【実施例２】
【００５４】
本発明の他の実施例（第２実施例）による放電イオン化電流検出器について図２を参照して説明する。図２は第２実施例による放電イオン化電流検出器の概略構成図である。同図において、第１実施例と同一の構成要素については同一の符号を付し、適宜説明を省略する。
【００５５】
本実施例に係る放電イオン化電流検出器は、電極構造体を２つ有している点、及びフランジ付金属管を有さず、中間アダプタと下側アダプタが一体部品（以下、下側アダプタ３０と呼ぶ）になっている点で第１実施例と異なっている。
【００５６】
本実施例における２つの電極構造体（それぞれ、第１電極構造体１９ａ、第２電極構造体１９ｂと呼ぶ）は、いずれも第１実施例の電極構造体１９と同一の構成を有している。即ち、内部誘電体管１５ａ、１５ｂの内部に金属管１６ａ、１６ｂが挿通され、該金属管１６ａ、１６ｂの内部には絶縁管１７ａ、１７ｂが、更にその内部には金属線１８ａ、１８ｂが挿通されている。そして、内部誘電体管１５ａ、１５ｂの上下端からは金属管１６ａ、１６ｂの上下端が突出し、金属管１６ａ、１６ｂの上下端からは絶縁管１７ａ、１７ｂの上下端が、更にその上下端からは金属線１８ａ、１８ｂの上下端が突出している。
【００５７】
上側アダプタ１２の上部には２つの貫通孔が形成され、各貫通孔に金属管１６ａ、１６ｂの上端部を溶接又は蝋付けすることによって第１電極構造体１９ａ及び第２電極構造体１９ｂが外部誘電体管１０の内部に固定されている。そして、前記絶縁管１７ａ、１７ｂと金属線１８ａ、１８ｂは前記貫通孔から外部に引き出され、それぞれ上側アダプタ１２の上面にて気密性接着剤２０によって封止・固定されている。
【００５８】
上述の通り、各電極構造体１９ａ、１９ｂに含まれる金属線１８ａ、１８ｂの下端には、それぞれ絶縁管１７ａ、１７ｂで被覆されない部分（露出部）が設けられている。これらの露出部は、いずれも下側アダプタ３０の内部に上方から挿入され、試料導入管３２の上端とほぼ同じ高さに配置される。更に、これらの金属線１８ａ、１８ｂのうち、第１電極構造体１９ａに含まれる金属線１８ａの上端は、バイアス直流電源３３に接続されており、第２電極構造体１９ｂに含まれる金属線１８ｂの上端は、イオン電流検出部３４に含まれる電流アンプ３５に接続されている。つまり、本実施例の放電イオン化電流検出器では、前記金属線１８ａ下端の露出部がバイアス電極として機能し、金属線１８ｂの下端の露出部がイオン収集電極として機能する。従って、該金属線１８ａ、１８ｂの下端の周囲の空間が実質的な電流収集領域となる。
【００５９】
また、各電極構造体１９ａ、１９ｂに含まれる金属管１６ａ、１６ｂは、上側アダプタ１２を介して電気的に接地されており、更にこれらの金属管１６ａ、１６ｂの下端には、それぞれ内部誘電体管１５ａ、１５ｂで被覆されない部分（露出部）が設けられている。これらの露出部は、前記電流収集領域の直上に配置され、プラズマ中の荷電粒子がイオン収集電極に到達するのを防ぐための反跳電極として機能する。なお、本実施例においても、上側アダプタ１２及び外部誘電体管１０の内部空間であって内部誘電体管１５ａ、ｂの下端よりも上側の領域が本発明における第１ガス流路に相当し、外部誘電体管１０及び下側アダプタ３０の内部空間であって内部誘電体管１５ａ、ｂの下端よりも下側の領域が本発明における第２ガス流路に相当する。また、第２ガス流路は、試料ガスの気化状態を保つため、図示しない外部ヒータによって最大450℃程度まで加熱される。
【００６０】
以上のような構成によれば、バイアス電極と検出器の筐体の接触部、及びイオン収集電極と検出器の筐体との接触部をいずれもプラズマガス流の上流側に配置することができる。これにより、従来、高温部（即ち、第２ガス流路）に設けられていた絶縁部材−金属電極間の気密シール部をなくすことができる。その結果、高耐熱性の気密シールや高温下で高い絶縁性を発揮し得る絶縁部材が不要となり、製造コストを一層低減することが可能となる。
【００６１】
なお、本実施例の放電イオン化電流検出器において、バイアス電極又はイオン収集電極として機能する部分（即ち、金属線１８ａ、１８ｂの下端）は、図２に示したような形状に限らず、例えば、図３、４に示すように、一方の電極を筒状やコイル状にして表面積を増大させたものとしてもよい。例えば、イオン収集電極として機能する側の金属線１８ｂの下端形状を筒状又はコイル状にし、その筒又はコイルの内部にバイアス電極として機能する金属線１８ａの下端を配置することにより、イオン電流を効率よく収集することが可能となる。
【００６２】
また、図２の例では、電極構造体を２つ設ける構成を示したが、これに限らず電極構造体を３つ以上備えた構成としてもよい。これにより、例えば、１つのバイアス電極を取り囲むように複数のイオン収集電極を配置してイオン電流の収集効率を向上することが可能となる。
【００６３】
以上、本発明を実施するための形態について実施例を挙げて説明を行ったが、本発明は上記実施例に限定されるものではなく、本発明の趣旨の範囲で適宜変更が許容されるものである。例えば、上記実施例では第１ガス流路と第２ガス流路の境界付近に第１ガス排出管２４を設け、第２ガス流路の下流側に第２ガス排出管３１を設けた構成としたが、第１ガス排出管２４を有しない構成とすることもできる。また、上記実施例に係る放電イオン化電流検出器では反跳電極として機能する部分（金属管１６、１６ａ、１６ｂ下端の露出部）を設けたが、これを有しない（即ち金属管がその下端部まで誘電体で被覆されている）構成とすることも可能である。
【符号の説明】
【００６４】
１０…外部誘電体管
１１…環状電極
１２…上側アダプタ
１４…ガス供給管
１５、１５ａ、１５ｂ…内部誘電体管
１６、１６ａ、１６ｂ…金属管
１７、１７ａ、１７ｂ…絶縁管
１８、１８ａ、１８ｂ…金属線
１９…電極構造体
１９ａ…第１電極構造体
１９ｂ…第２電極構造体
２０…気密性接着剤
２１…励起用高圧電源
２２…中間アダプタ
２４…第１ガス排出管
２５、２９…絶縁部材
２６…円筒部
２７…フランジ部
２８…フランジ付金属管
３０…下側アダプタ
３１…第２ガス排出管
３２…試料導入管
３３…バイアス直流電源
３４…イオン電流検出部
３５…電流アンプ
【図１】
0005704065.tif 000002
【図２】
0005704065.tif 000003
【図３】
0005704065.tif 000004
【図４】
0005704065.tif 000005
【図５】
0005704065.tif 000006